(57)【特許請求の範囲】
【請求項１】
撮像手段と、
前記撮像手段に対して撮像指示を入力するための端末側操作手段を有する複数の外部端末と、所定の無線通信回線を介して情報通信可能に接続する通信手段と、
画像の撮像指示を入力するための装置側操作手段と、
前記複数の外部端末のうちの前記通信手段により情報通信可能に接続されている前記外部端末の前記端末側操作手段の操作に基づいて入力された撮像指示に従って前記撮像手段により撮像された画像と、前記外部端末の識別情報とを対応付けて記録手段に記録させる第１の記録制御手段と、
前記装置側操作手段の操作に基づいて入力された撮像指示に従って前記撮像手段により撮像された画像を前記記録手段に記録させる第２の記録制御手段と、
前記記録手段に記録されている画像のうち、前記第１の記録制御手段により記録された画像のみを、当該画像と対応付けられている識別情報の前記外部端末に前記通信手段により送信可能となるように制御する制御手段と、
前記通信手段により情報通信可能に接続された前記外部端末との通信状態が接続状態であるか否かを判定する判定手段と、
前記判定手段により通信状態が接続状態でないと判定された場合に、この判定以前に接続状態にあった外部端末の識別情報と、前記撮像手段により撮像された画像とを対応付けて記録手段に記録させる第３の記録制御手段と、
を備えることを特徴とする撮像装置。
【請求項２】
撮像手段を有する撮像装置を用いた撮像方法であって、
前記撮像手段に対して撮像指示を入力するための端末側操作手段を有する複数の外部端末と、所定の無線通信回線を介して情報通信可能に接続する通信ステップと、
前記複数の外部端末のうち情報通信可能に接続されている前記外部端末での操作に基づいて入力された撮像指示に従って前記撮像手段により撮像された画像と、前記外部端末の識別情報とを対応付けて記録手段に記録させる第１の記録制御ステップと、
当該撮像装置が備える装置側操作手段の操作に基づいて入力された撮像指示に従って前記撮像手段により撮像された画像を前記記録手段に記録させる第２の記録制御ステップと、
前記記録手段に記録されている画像のうち、前記第１の記録制御ステップにて記録された画像のみを、当該画像と対応付けられている識別情報の前記外部端末に送信可能となるように制御する制御ステップと、
前記通信ステップにより情報通信可能に接続された前記外部端末との通信状態が接続状態であるか否かを判定する判定ステップと、
前記判定ステップにて通信状態が接続状態でないと判定された場合に、この判定以前に接続状態にあった外部端末の識別情報と、前記撮像手段により撮像された画像とを対応付けて記録手段に記録させる第３の記録制御ステップと、
を含むことを特徴とする撮像方法。
【請求項３】
通信手段と操作手段と撮像手段とを有する装置が備えるコンピュータを、
撮像指示を入力するための端末側操作手段を有する複数の外部端末と、前記通信手段により所定の無線通信回線を介して情報通信可能に接続する通信制御手段、
前記複数の外部端末のうちの前記通信制御手段により情報通信可能に接続されている前記外部端末の前記端末側操作手段の操作に基づいて入力された撮像指示に従って前記撮像手段により撮像された画像と、前記外部端末の識別情報とを対応付けて記録手段に記録させる第１の記録制御手段、
前記操作手段の操作に基づいて入力された撮像指示に従って前記撮像手段により撮像された画像を前記記録手段に記録させる第２の記録制御手段、
前記記録手段に記録されている画像のうち、前記第１の記録制御手段により記録された画像のみを、当該画像と対応付けられている識別情報の前記外部端末に前記通信手段により送信可能となるように制御する制御手段、
前記通信手段により情報通信可能に接続された前記外部端末との通信状態が接続状態であるか否かを判定する判定手段と、
前記判定手段により通信状態が接続状態でないと判定された場合に、この判定以前に接続状態にあった外部端末の識別情報と、前記撮像手段により撮像された画像とを対応付けて記録手段に記録させる第３の記録制御手段、
として機能させることを特徴とするプログラム。
【発明の詳細な説明】
【技術分野】
【０００１】
本発明は、撮像装置、撮像方法及びプログラムに関する。
【背景技術】
【０００２】
従来、ユーザの所持品に内蔵されている無線タグの識別情報を読み取り、読み取られた識別情報を画像情報と関連付けて記録しておき、画像情報の表示要求時に識別情報を利用して画像情報を表示させるか否か、すなわち、ユーザに視認させても良いかを判断するデジタルカメラが知られている（例えば、特許文献１参照）。
【先行技術文献】
【特許文献】
【０００３】
【特許文献１】特開２００８−８４１０７号公報
【発明の概要】
【発明が解決しようとする課題】
【０００４】
しかしながら、近年、複数の外部端末（例えば、スマートフォンやスマートウォッチ等）で一台の撮像装置を遠隔操作可能なシステムが開発されており、この撮像装置により撮像された画像の取り扱いに関して、特許文献１の技術では十分とは言えない。
【０００５】
そこで、本発明の課題は、外部端末により共有される一の撮像装置を用いて撮像される画像の管理を適正に行うことができる撮像装置、撮像方法及びプログラムを提供することである。
【課題を解決するための手段】
【０００６】
前記課題を解決するため、本発明に係る撮像装置の一態様は、
撮像手段と、
前記撮像手段に対して撮像指示を入力するための端末側操作手段を有する複数の外部端末と、所定の無線通信回線を介して情報通信可能に接続する通信手段と、
画像の撮像指示を入力するための装置側操作手段と、
前記複数の外部端末のうちの前記通信手段により情報通信可能に接続されている前記外部端末の前記端末側操作手段の操作に基づいて入力された撮像指示に従って前記撮像手段により撮像された画像と、前記外部端末の識別情報とを対応付けて記録手段に記録させる第１の記録制御手段と、
前記装置側操作手段の操作に基づいて入力された撮像指示に従って前記撮像手段により撮像された画像を前記記録手段に記録させる第２の記録制御手段と、
前記記録手段に記録されている画像のうち、前記第１の記録制御手段により記録された画像のみを、当該画像と対応付けられている識別情報の前記外部端末に前記通信手段により送信可能となるように制御する制御手段と、
前記通信手段により情報通信可能に接続された前記外部端末との通信状態が接続状態であるか否かを判定する判定手段と、
前記判定手段により通信状態が接続状態でないと判定された場合に、この判定以前に接続状態にあった外部端末の識別情報と、前記撮像手段により撮像された画像とを対応付けて記録手段に記録させる第３の記録制御手段と、
を備えることを特徴とする。
【発明の効果】
【００１０】
本発明によれば、外部端末により共有される一の撮像装置を用いて撮像される画像の管理を適正に行うことができる。
【図面の簡単な説明】
【００１１】
【図１】本発明を適用した実施形態１の撮像システムの概略構成を模式的に示す図である。
【図２】図１の撮像システムを構成する撮像装置を示す斜視図である。
【図３】図２の撮像装置を構成する撮像ユニットの概略構成を示すブロック図である。
【図４】図２の撮像装置を構成する制御ユニットの概略構成を示すブロック図である。
【図５】図１の撮像システムを構成する外部端末の概略構成を示すブロック図である。
【図６】図１の撮像システムによる撮像処理に係る動作の一例を示すフローチャートである。
【図７】図６の撮像処理を説明するための図である。
【図８】図１の撮像システムによる送信制御処理に係る動作の一例を示すフローチャートである。
【図９】図８の送信制御処理の変形例に係る動作の一例を示すフローチャートである。
【図１０】図３の撮像装置を構成する撮像ユニットの変形例の概略構成を示すブロック図である。
【図１１】図１０の撮像ユニットの変形例を用いた撮像処理に係る動作の一例を示すフローチャートである。
【図１２】図１１の撮像処理を説明するための図である。
【図１３】本発明を適用した実施形態２の撮像システムを構成する撮像装置の概略構成を示すブロック図である。
【図１４】図１３の撮像システムによる送信制御処理に係る動作の一例を示すフローチャートである。
【発明を実施するための形態】
【００１２】
以下に、本発明について、図面を用いて具体的な態様を説明する。ただし、発明の範囲は、図示例に限定されない。
【００１３】
［実施形態１］
図１は、本発明を適用した実施形態１の撮像システム１００の概略構成を模式的に示す図である。
図１に示すように、実施形態１の撮像システム１００は、撮像装置１と、複数（例えば、二つ）の外部端末２、２とを備えている。また、撮像装置１と複数の外部端末２、２（第１外部端末２Ａ及び第２外部端末２Ｂ）とは、無線通信回線（例えば、Bluetooth（登録商標）等の無線ＰＡＮ（Personal Area Network））を介して情報通信可能に接続されている。
【００１４】
先ず、撮像装置１について、図２（ａ）〜図４を参照して説明する。
図２（ａ）及び図２（ｂ）は、撮像装置１の概略構成を示す斜視図である。
【００１５】
図２（ａ）及び図２（ｂ）に示すように、撮像装置１は、着脱自在に構成された撮像ユニット１１と制御ユニット１２とを備え、これら撮像ユニット１１と制御ユニット１２とが所定の無線通信回線を介して無線通信を行う。すなわち、撮像装置１は、撮像ユニット１１と制御ユニット１２とを組み合わせた合体状態（図２（ａ）参照）と、撮像ユニット１１と制御ユニット１２とを分離させた分離状態（図２（ｂ）参照）と、で使用可能となっている。
【００１６】
具体的には、撮像ユニット１１と制御ユニット１２とは、着脱機構１３を介して着脱自在に接続される。
着脱機構１３は、例えば、撮像ユニット１１の筐体１１Ａの一端に設けられた金属製のプレート１３１と、制御ユニット１２の筐体１２Ａの一面側（図２（ａ）及び図２（ｂ）における下面側）に設けられた着脱用スリット（図示略）とを有している。そして、着脱用スリット内にプレート１３１が差し込まれ、図示しないロック機構によりロックされることで、撮像ユニット１１と制御ユニット１２とが分離不可の状態に組み合わされる（図２（ａ）参照）。
また、制御ユニット１２の筐体１２Ａの側面に設けられた接続解除ボタン１３２が押されることで、ロックが解除され、撮像ユニット１１と制御ユニット１２とを分離可能な状態となる（図２（ｂ）参照）。
【００１７】
また、着脱機構１３は、撮像ユニット１１の筐体１１Ａと制御ユニット１２の筐体１２Ａの一面どうしを重ね合わせた状態となるように略１８０°回動自在なヒンジ部１３３を備えている。これにより、例えば、撮像ユニット１１と制御ユニット１２との合体状態にて、撮像ユニット１１のレンズ部１１３ａ（後述）が被写体側に露出される一方で、制御ユニット１２の表示パネル１２４ａ（後述）がユーザ側に露出された状態、すなわち、一般的なデジタルカメラのような形態での使用が可能となる。
【００１８】
次に、撮像ユニット１１について、図３を参照して説明する。
図３は、撮像ユニット１１の概略構成を示すブロック図である。
【００１９】
撮像ユニット１１は、主要な機能を撮像機能とし、被写体を撮影する。具体的には、図３に示すように、撮像ユニット１１は、中央制御部１１１と、メモリ１１２と、撮像部１１３と、信号処理部１１４と、画像記録部１１５と、無線制御部１１６と、動作制御部１１７と、操作入力部１１８とを備えている。
また、中央制御部１１１、メモリ１１２、撮像部１１３、信号処理部１１４、画像記録部１１５、無線制御部１１６及び動作制御部１１７は、バスライン１１９を介して接続されている。
【００２０】
中央制御部１１１は、撮像ユニット１１の各部を制御するものである。具体的には、中央制御部１１１は、図示は省略するが、ＣＰＵ（Central Processing Unit）、ＲＡＭ（Random Access Memory）、ＲＯＭ（Read Only Memory）を備え、撮像ユニット１１用の各種処理プログラム（図示略）に従って各種の制御動作を行う。
【００２１】
メモリ１１２は、例えば、ＤＲＡＭ（Dynamic Random Access Memory）等により構成され、中央制御部１１１の他、撮像ユニット１１の各部によって処理されるデータ等を一時的に記録する。
また、メモリ１１２は、撮像ユニット１１や制御ユニット１２や外部端末２の識別情報（例えば、ＢＤアドレスやＭＡＣアドレス等）を一時的に格納する。
ＢＤアドレスは、Bluetooth対応デバイスを識別するために用いられるものであり、ＭＡＣアドレスは、ネットワーク上で各ノードを識別するために用いられるものである。
なお、識別情報として、ＢＤアドレスやＭＡＣアドレスを例示したが、一例であってこれに限られるものではなく、適宜任意に変更可能である。
【００２２】
撮像部１１３は、レンズ部１１３ａと、電子撮像部１１３ｂと、撮像制御部１１３ｃと、を備えている。
【００２３】
レンズ部１１３ａは、例えば、ズームレンズやフォーカスレンズ等の複数のレンズから構成されている。
電子撮像部１１３ｂは、例えば、ＣＣＤ（Charge Coupled Device）やＣＭＯＳ（Complementary Metal-Oxide Semiconductor）等のイメージセンサ（撮像素子）から構成され、レンズ部１１３ａの各種レンズを通過した光学像を二次元の画像信号に変換する。
【００２４】
撮像制御部１１３ｃは、例えば、タイミング発生器、ドライバ等を備えている。そして、撮像制御部１１３ｃは、タイミング発生器、ドライバにより電子撮像部１１３ｂを走査駆動して、レンズ部１１３ａにより結像された光学像を電子撮像部１１３ｂにより二次元の画像信号に変換させ、電子撮像部１１３ｂの撮像領域から１画面分ずつフレーム画像を読み出して信号処理部１１４に出力させる。
また、撮像制御部１１３ｃは、ＡＦ（自動合焦処理）、ＡＥ（自動露出処理）、ＡＷＢ（自動ホワイトバランス）等の制御を行う。
【００２５】
信号処理部１１４は、電子撮像部１１３ｂから転送されたフレーム画像のアナログ値の信号に対して各種の画像信号処理を施す。具体的には、信号処理部１１４は、電子撮像部１１３ｂから転送されたフレーム画像のアナログ値の信号に対してＲＧＢの色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
また、信号処理部１１４は、生成された各フレーム画像の画像データをメモリ１１２に出力する。
【００２６】
画像記録部１１５は、例えば、不揮発性メモリ（フラッシュメモリ）等により構成され、撮像ユニット１１により撮影された被写体の画像を記録する。具体的には、画像記録部１１５は、例えば、信号処理部１１４により生成されたフレーム画像の画像データをメモリ１１２から取得し、取得された画像データを所定の圧縮形式（例えば、ＪＰＥＧ形式等）で符号化して記録用の静止画像の画像データとして記録する。このとき、画像記録部（記録手段）１１５は、画像データと対応付けて、画像の撮像を指示した外部端末２や撮像ユニット１１の識別情報（例えば、ＢＤアドレスやＭＡＣアドレス等）を記録する。
ここで、撮像ユニット１１の識別情報や撮像ユニット１１と情報通信可能に接続されている外部端末２の識別情報は、例えば、メモリ１１２等に格納されており、画像記録部１１５は、画像の撮像を指示した撮像ユニット１１や外部端末２の識別情報をメモリ１１２から取得して、画像データと対応付けて記録する。
【００２７】
また、画像記録部１１５は、例えば、記録媒体（図示略）が着脱自在に構成され、装着された記録媒体からのデータの読み出しや記録媒体に対するデータの書き込みを制御する構成であっても良い。
【００２８】
無線制御部１１６は、所定の無線通信回線を介して接続された制御ユニット１２や外部端末２等の外部機器との間で通信制御を行う。
すなわち、無線制御部１１６は、例えば、通信アンテナ１１６ａを介して外部機器との間でBluetooth（登録商標）の通信規格に基づく無線通信を行うための制御モジュール（図示略）を具備している。この無線制御部１１６は、例えば、予めペアリングと呼ばれる通信設定処理を行うことで、互いのデバイス情報や認証鍵のデータを無線信号により外部機器と交換する。これにより、その後、通信設定処理を毎回行わなくとも、例えば、撮像ユニット１１と外部機器とが電波が届かない範囲に離れれば通信接続が解除される一方で、電波が届く範囲に近づけば自動的に通信接続される。
このように、無線制御部１１６は、通信手段として、複数の外部端末２、２と所定の無線通信回線を介して情報通信可能に接続する。
【００２９】
具体的には、無線制御部１１６は、例えば、制御ユニット１２と情報通信可能に接続されている状態で、信号処理部１１４により生成されたライブビュー画像に係る複数のフレーム画像の画像データを通信アンテナ１１６ａから制御ユニット１２に送信する。
また、無線制御部１１６は、例えば、外部端末２と情報通信可能に接続されている状態で、外部端末２の操作入力部（端末側操作手段；後述）２０７の所定操作に基づいて入力されて所定の無線通信回線を介して送信された撮像指示を通信アンテナ１１６ａにより受信する。そして、無線制御部１１６は、受信した撮像指示を中央制御部１１１に出力する。その後、撮像指示に従って撮像部１１３により画像が撮像されると、無線制御部１１６は、信号処理部１１４により生成された画像データを通信アンテナ１１６ａを介して撮像指示が入力された外部端末２に送信する。
なお、例えば、ユーザによる制御ユニット１２の操作入力部１２５（後述）の所定操作に基づいて撮像指示が入力された場合には、無線制御部１１６は、制御ユニット１２から所定の無線通信回線を介して送信された撮像指示を通信アンテナ１１６ａにより受信する。そして、同様に、撮像指示に従って撮像部１１３により画像が撮像され、無線制御部１１６は、信号処理部１１４により生成された画像データを通信アンテナ１１６ａから制御ユニット１２に送信する。
【００３０】
また、無線制御部１１６は、例えば、無線ＬＡＮ（Local Area Network）モジュール等から構成され、外部のアクセスポイントを経由せずに直接制御ユニット１２や外部端末２等の外部機器との間で無線通信回線を構築するPeer to Peer（アドホックモード）で動作しても良い。
【００３１】
動作制御部１１７は、画像記録部１１５に記録されている画像データの管理に関して、撮像ユニット１１の各部の動作を制御する。
すなわち、動作制御部（制御手段）１１７は、画像記録部１１５に記録されている画像データを画像データと対応付けられている識別情報の外部端末２に無線制御部１１６により送信可能となるように制御する。具体的には、複数の外部端末２、２のうちの、何れか一の外部端末２（例えば、第１外部端末２Ａ等）からの画像データの送信指示が無線制御部１１６により受信されると、動作制御部１１７は、画像記録部１１５に記録されている記録画像の画像データの中で、送信指示を送信した何れか一の外部端末２の識別情報と対応付けられている記録画像の画像データを特定する。そして、動作制御部１１７は、特定された記録画像の画像データを画像記録部１１５から読み出して無線制御部１１６に出力し、無線制御部１１６は、入力された画像データを、送信指示を送信した何れか一の外部端末２に通信アンテナ１１６ａを介して送信する。
【００３２】
また、動作制御部１１７は、画像記録部１１５に記録されている記録画像を所定の無線通信回線を介して制御ユニット１２に送信して表示部１２４（後述）に表示させるように制御する。具体的には、制御ユニット１２からの画像データの送信指示が無線制御部１１６により受信されると、動作制御部１１７は、画像記録部１１５に記録されている記録画像の画像データの中で、撮像ユニット１１の識別情報と対応付けられている記録画像の画像データを特定する。そして、動作制御部１１７は、特定された記録画像の画像データを画像記録部１１５から読み出して無線制御部１１６に出力し、無線制御部１１６は、入力された画像データを制御ユニット１２に通信アンテナ１１６ａを介して送信する。
これにより、制御ユニット１２では、無線制御部１２３（後述）は、撮像ユニット１１から送信されて記録画像の画像データを受信し、表示部２０４（後述）は、表示パネル１２４ａの表示画面に記録画像を表示する。
【００３３】
なお、動作制御部１１７は、例えば、所定のロジック回路から構成されているが、構成は一例であってこれに限られるものではない。
【００３４】
操作入力部１１８は、例えば、撮像ユニット１１本体の電源のＯＮ／ＯＦＦに係る電源ボタン、被写体の撮影指示に係るシャッタボタン、撮影モードや機能等の選択指示に係る選択決定ボタン（何れも図示略）等を備えている。
そして、ユーザにより各種ボタンが操作されると、操作入力部１１８は、操作されたボタンに応じた操作指示を中央制御部１１１に出力する。例えば、ユーザによりシャッタボタンが操作されると、操作入力部１１８は、装置側操作手段として、画像の撮像指示を中央制御部１１１に出力する。中央制御部１１１は、操作入力部１１８から出力され入力された操作指示に従って所定の動作を各部に実行させる。例えば、操作入力部１１８から出力された撮像指示が入力されると、中央制御部１１１は、撮像指示に従って撮像部１１３を制御して、被写体を撮像させる。
【００３５】
次に、制御ユニット１２について、図４を参照して説明する。
図４は、制御ユニット１２の概略構成を示すブロック図である。
【００３６】
制御ユニット１２は、主要な機能を制御機能や表示機能としている。具体的には、図４に示すように、制御ユニット１２は、中央制御部１２１と、メモリ１２２と、無線制御部１２３と、表示部１２４と、操作入力部１２５とを備えている。
また、中央制御部１２１、メモリ１２２、無線制御部１２３及び表示部１２４は、バスライン１２６を介して接続されている。
【００３７】
中央制御部１２１は、制御ユニット１２の各部を制御するものである。具体的には、中央制御部１２１は、図示は省略するが、ＣＰＵ、ＲＡＭ、ＲＯＭを備え、制御ユニット１２用の各種処理プログラム（図示略）に従って各種の制御動作を行う。
【００３８】
メモリ１２２は、例えば、ＤＲＡＭ等により構成され、中央制御部１２１の他、制御ユニット１２の各部によって処理されるデータ等を一時的に記録する。
【００３９】
無線制御部１２３は、所定の無線通信回線を介して接続された撮像ユニット１１との間で通信制御を行う。
すなわち、無線制御部１２３は、撮像ユニット１１の無線制御部１１６と略同様の構成をなし、例えば、通信アンテナ１２３ａを介して撮像ユニット１１との間でBluetoothの通信規格に基づく無線通信を行うための制御モジュール（図示略）を具備している。
具体的には、無線制御部１２３は、例えば、撮像ユニット１１と情報通信可能に接続されている状態で、撮像ユニット１１から送信されたライブビュー画像や記録画像の画像データを、通信アンテナ１２３ａを介して受信する。そして、無線制御部１２３は、受信した画像データをメモリ１２２に出力する。
【００４０】
表示部１２４は、表示パネル１２４ａの表示画面に画像を表示する。
例えば、表示部１２４は、静止画像や動画像の撮影モードにて、撮像ユニット１１による被写体の撮像により生成されたライブビュー画像に係る複数のフレーム画像を表示パネル１２４ａに表示する。具体的には、表示部１２４は、撮像ユニット１１から送信されて無線制御部１２３により受信された複数のフレーム画像の画像データをメモリ１２２から取得し、所定の再生フレームレートで逐次更新しながら表示パネル１２４ａの表示画面に表示する。
また、例えば、表示部（装置側表示手段）１２４は、撮像ユニット１１から送信されて無線制御部１２３により受信された記録画像の画像データをメモリ１２２から取得し、表示パネル１２４ａの表示画面に表示する。
なお、表示パネル１２４ａは、例えば、液晶表示パネルや有機ＥＬ（Electro-Luminescence）表示パネル等から構成されているが、一例であってこれらに限られるものではない。
【００４１】
操作入力部１２５は、例えば、制御ユニット１２本体の電源のＯＮ／ＯＦＦに係る電源ボタン、被写体の撮影指示に係るシャッタボタン、モードや機能等の選択指示に係る上下左右のカーソルボタンや決定ボタン（何れも図示略）を備えている。
そして、ユーザにより各種ボタンが操作されると、操作入力部１２５は、操作されたボタンに応じた操作指示を中央制御部１２１に出力する。中央制御部１２１は、操作入力部１２５から出力され入力された操作指示に従って所定の動作を各部に実行させる。
【００４２】
なお、操作入力部１２５は、表示パネル１２４ａと一体となって設けられたタッチパネル（図示略）を有していても良く、ユーザによるタッチパネルの所定操作に基づいて、所定操作に応じた操作指示を中央制御部１２１に出力しても良い。
【００４３】
次に、外部端末２について、図５を参照して説明する。
図５は、外部端末２の概略構成を示すブロック図である。
【００４４】
外部端末２は、例えば、携帯電話やスマートフォンなどの移動体通信網で用いられる移動局、ＰＤＡ（Personal Data Assistants）等から構成されている。また、外部端末２として、第１外部端末２Ａと第２外部端末２Ｂ（図１参照）を例示するが、これら第１外部端末２Ａ及び第２外部端末２Ｂの構成及び機能は略同様であり、以下にまとめて説明する。
【００４５】
図５に示すように、外部端末２は、中央制御部２０１と、メモリ２０２と、第１無線制御部２０３と、表示部２０４と、第２無線制御部２０５と、送受話部２０６と、操作入力部２０７等を備えている。
また、中央制御部２０１、メモリ２０２、第１無線制御部２０３、表示部２０４、第２無線制御部２０５及び送受話部２０６は、バスライン２０８を介して接続されている。
【００４６】
中央制御部２０１は、外部端末２の各部を制御するものである。具体的には、中央制御部２０１は、図示は省略するが、ＣＰＵ、ＲＡＭ、ＲＯＭを備え、外部端末２用の各種処理プログラム（図示略）に従って各種の制御動作を行う。
【００４７】
メモリ２０２は、例えば、ＤＲＡＭ等により構成され、中央制御部２０１の他、外部端末２の各部によって処理されるデータ等を一時的に記録する。
【００４８】
第１無線制御部２０３は、所定の無線通信回線を介して接続された撮像ユニット１１との間で通信制御を行う。
具体的には、第１無線制御部２０３は、撮像ユニット１１の無線制御部１１６や制御ユニット１２の無線制御部１２３と略同様の構成をなし、例えば、第１通信アンテナ２０３ａを介して撮像ユニット１１との間でBluetoothの通信規格に基づく無線通信を行うための制御モジュール（図示略）を具備している。
具体的には、第１無線制御部２０３は、例えば、撮像ユニット１１と情報通信可能に接続されている状態で、撮像ユニット１１から送信された画像データを、第１通信アンテナ２０３ａを介して受信する。そして、無線制御部２０３は、受信した画像データをメモリ２０２に出力する。
【００４９】
表示部２０４は、表示パネル２０４ａの表示画面に画像を表示する。
例えば、表示部２０４は、撮像ユニット１１から送信されて第１無線制御部２０３により受信されたライブビュー画像に係る複数のフレーム画像の画像データをメモリ２０２から取得し、所定の再生フレームレートで逐次更新しながら表示パネル２０４ａの表示画面に表示する。
また、表示部（端末側表示手段）２０４は、撮像ユニット１１により撮像され無線制御部１１６から送信されて、第１無線制御部２０３により受信された記録画像の画像データをメモリ２０２から取得して、表示パネル２０４ａの表示画面に表示する。
なお、表示パネル２０４ａは、例えば、液晶表示パネルや有機ＥＬ表示パネル等から構成されているが、一例であってこれらに限られるものではない。
【００５０】
第２無線制御部２０５は、通信ネットワークＮ及び第２通信アンテナ２０５ａを介してデータの送受信を行う。
即ち、第２通信アンテナ２０５ａは、外部端末２が無線基地局（図示略）との通信で採用している所定の通信方式（例えば、Ｗ−ＣＤＭＡ（Wideband Code Division Multiple Access）方式、ＧＳＭ（Global System for Mobile Communications；登録商標）方式等）に対応したデータの送受信が可能なアンテナである。そして、第２無線制御部２０５は、所定の通信方式に対応する通信プロトコルに従って、この通信方式で設定される通信チャネルにより無線基地局との間で第２通信アンテナ２０５ａを介してデータの送受信を行う。
【００５１】
通信ネットワークＮは、例えば、外部端末２を無線基地局やゲートウェイサーバ（図示略）等を介して外部の通信機器と接続する通信ネットワークである。
また、通信ネットワークＮは、例えば、専用線や既存の一般公衆回線を利用して構築された通信ネットワークであり、ＬＡＮやＷＡＮ（Wide Area Network）等の様々な回線形態を適用することが可能である。また、通信ネットワークＮには、例えば、電話回線網、ＩＳＤＮ回線網、専用線、移動体通信網、通信衛星回線、ＣＡＴＶ回線網等の各種通信ネットワーク網と、ＩＰネットワーク、ＶｏＩＰ（Voice over Internet Protocol）ゲートウェイ、インターネットサービスプロバイダ等が含まれる。
【００５２】
送受話部２０６は、通信ネットワークＮを介して接続された外部機器のユーザとの通話を行う。
具体的には、送受話部２０６は、マイク２０６ａ、スピーカ２０６ｂ等を備えている。そして、送受話部２０６は、マイク２０６ａから入力されるユーザの送話音声をデータ変換部（図示略）によりＡ／Ｄ変換処理して送話音声データを中央制御部２０１に出力するとともに、中央制御部２０１の制御下にて、第２無線制御部２０５から出力されて入力される受話音声データ等の音声データをデータ変換部によりＤ／Ａ変換処理してスピーカ２０６ｂから出力する。
【００５３】
操作入力部２０７は、外部端末２本体に対して各種指示を入力するためのものである。
具体的には、操作入力部２０７は、外部端末２本体の電源のＯＮ／ＯＦＦに係る電源ボタン、モードや機能等の選択指示に係る上下左右のカーソルボタンや決定ボタン、電話の発着信や電子メールの送受信等の実行指示に係る通信関連ボタン、テキストの入力指示に係る数字ボタンや記号ボタン等の各種ボタン（何れも図示略）を備えている。
そして、ユーザにより各種ボタンが操作されると、操作入力部２０７は、操作されたボタンに応じた操作指示を中央制御部２０１に出力する。中央制御部２０１は、操作入力部２０７から出力され入力された操作指示に従って所定の動作を各部に実行させる。
【００５４】
なお、操作入力部２０７は、表示部２０４の表示パネル２０４ａと一体となって設けられたタッチパネルを有していても良く、ユーザによるタッチパネルの所定操作に基づいて、所定操作に応じた操作指示を中央制御部２０１に出力しても良い。
【００５５】
＜撮像処理＞
次に、実施形態１の撮像システム１００による撮像処理について、図６及び図７を参照して説明する。
図６は、撮像処理に係る動作の一例を示すフローチャートである。また、図７は、撮像処理を説明するための図であり、撮像ユニット１１と外部端末２との接続状態と、記録用の画像と対応付けられる識別情報との関係を模式的に表している。
【００５６】
以下に説明する撮像処理は、撮像ユニット１１により行われる処理である。また、予め撮像ユニット１１と制御ユニット１２とが所定の無線通信回線（例えば、Bluetooth）を介して接続され、撮像ユニット１１及び制御ユニット１２の識別情報（例えば、ＢＤアドレス等）が撮像ユニット１１のメモリ１１２に格納されているものとする。
【００５７】
図６に示すように、撮像ユニット１１の撮像部１１３は、例えば、ＡＦ、ＡＥ、ＡＷＢ等の被写体を撮像する際の撮像条件を逐次調整しながらライブビュー画像を撮像する（ステップＳ１）。そして、信号処理部１１４は、ライブビュー画像を構成する各フレーム画像の画像データの画像データを生成し、各フレーム画像の画像データをメモリ１１２に出力する。無線制御部１１６は、メモリ１１２からライブビュー画像に係る複数のフレーム画像の画像データを取得して、通信アンテナ１１６ａから制御ユニット１２に送信する。
これにより、制御ユニット１２では、無線制御部１２３は、撮像ユニット１１から送信された複数のフレーム画像の画像データを受信し、表示部１２４は、複数のフレーム画像を所定の再生フレームレートで逐次更新しながら表示パネル１２４ａの表示画面に表示する。
【００５８】
次に、無線制御部１１６は、所定の無線通信回線を介して外部端末２と情報通信可能に接続されているか否かを判定する（ステップＳ２）。
ここで、外部端末２と情報通信可能に接続されていると判定されると（ステップＳ２；ＹＥＳ）、無線制御部１１６は、通信設定処理にて外部端末２（例えば、第１外部端末２Ａ等）から送信された識別情報をメモリ１１２に出力し、メモリ１１２は、外部端末２の識別情報を一時的に記録する（ステップＳ３）。なお、撮像ユニット１１と外部端末２とが情報通信可能に接続されている状態では、外部端末２の表示部２０４は、撮像ユニット１１から送信されて第１無線制御部２０３により受信されたライブビュー画像に係る複数のフレーム画像の画像データに基づいて、表示パネル２０４ａの表示画面にライブビュー画像を表示する。
一方、外部端末２と情報通信可能に接続されていないと判定されると（ステップＳ２；ＮＯ）、無線制御部１１６は、ステップＳ３の処理をスキップする。
【００５９】
その後、中央制御部１１１のＣＰＵは、記録用の画像の撮像指示が入力されたか否かを判定する（ステップＳ４）。具体的には、中央制御部１１１のＣＰＵは、例えば、ユーザによる操作入力部１１８のシャッタボタンの操作に基づいて出力された撮像指示が入力されたか否かや、外部端末２と情報通信可能に接続されている状態にて、ユーザによる外部端末２の操作入力部２０７の所定操作に基づいて所定の無線通信回線を介して送信された撮像指示が通信アンテナ１１６ａにより受信されて、無線制御部１１６から出力された撮像指示が入力されたか否かを判定する。
ここで、記録用の画像の撮像指示が入力されていないと判定されると（ステップＳ４；ＮＯ）、中央制御部１１１のＣＰＵは、処理をステップＳ２に戻し、それ以降の各処理を実行する。
【００６０】
ステップＳ４にて、記録用の画像の撮像指示が入力されたと判定されると（ステップＳ４；ＹＥＳ）、撮像部１１３は、記録用の画像を撮像する（ステップＳ５）。そして、信号処理部１１４は、記録用の画像の画像データを生成し、メモリ１１２に出力する。
続けて、中央制御部１１１のＣＰＵは、ステップＳ４にて入力された記録用の画像の撮像指示が外部端末２からの撮像指示であるか否かを判定する（ステップＳ６）。すなわち、中央制御部１１１のＣＰＵは、記録用の画像の撮像指示が無線制御部１１６から出力されて入力された撮像指示であるか否かに応じて、外部端末２からの撮像指示であるか否かを判定する。
【００６１】
ステップＳ６にて、外部端末２からの撮像指示であると判定されると（ステップＳ６；ＹＥＳ）、中央制御部１１１のＣＰＵは、撮像指示に含まれている外部端末２の識別情報を取得してメモリ１１２に出力し、メモリ１１２は、一時的に記録されている外部端末２の識別情報を入力された外部端末２の識別情報で上書きして更新する（ステップＳ７）。続けて、画像記録部１１５は、メモリ１１２から画像の撮像を指示した外部端末２の識別情報を取得するとともに記録用の画像の画像データを取得し、画像データと外部端末２の識別情報とを対応付けて記録する（ステップＳ８）。
【００６２】
一方、ステップＳ６にて、外部端末２からの撮像指示でないと判定されると（ステップＳ６；ＮＯ）、画像記録部１１５は、メモリ１１２から撮像ユニット１１の識別情報を取得するとともに記録用の画像の画像データを取得し、画像データと撮像ユニット１１の識別情報とを対応付けて記録する（ステップＳ９）。
【００６３】
ここで、撮像ユニット１１と外部端末２との接続状態と、記録用の画像と対応付けられる識別情報との関係を、図７を参照して説明する。
例えば、撮像ユニット１１と外部端末２の何れか（例えば、第１外部端末２Ａや第２外部端末２Ｂ等）とが情報通信可能に接続されている状態で、外部端末２から撮像指示が入力されると、画像の撮像を指示した外部端末２の識別情報と記録用の画像の画像データとが対応付けられて画像記録部１１５に記録される。
また、撮像ユニット１１と外部端末２との接続状態に拘わらず、撮像ユニット１１や制御ユニット１２からの撮像指示の場合、撮像ユニット１１の識別情報と記録用の画像の画像データとが対応付けられて画像記録部１１５に記録される。
【００６４】
＜送信制御処理＞
次に、実施形態１の撮像システム１００による送信制御処理について、図８を参照して説明する。
図８は、送信制御処理に係る動作の一例を示すフローチャートである。
【００６５】
以下に説明する送信制御処理は、撮像ユニット１１により行われる処理である。また、予め撮像ユニット１１と制御ユニット１２とが所定の無線通信回線（例えば、Bluetooth）を介して接続されているものとする。
【００６６】
図８に示すように、動作制御部１１７は、画像記録部１１５に記録されている記録画像の表示要求が入力されたか否かを判定する（ステップＳ１１）。具体的には、動作制御部１１７は、例えば、ユーザによる操作入力部１１８の所定操作に基づいて出力された表示要求が入力されたか否かや、外部端末２と情報通信可能に接続されている状態にて、ユーザによる外部端末２の操作入力部２０７の所定操作に基づいて所定の無線通信回線を介して送信された表示要求が通信アンテナ１１６ａにより受信されて、無線制御部１１６から出力された表示要求が入力されたか否かを判定する。
ここで、記録画像の表示要求が入力されていないと判定されると（ステップＳ１１；ＮＯ）、動作制御部１１７は、記録画像の表示要求が入力されたか否かの判定を所定の時間間隔で繰り返し実行する。
【００６７】
ステップＳ１１にて、記録画像の表示要求が入力されたと判定されると（ステップＳ１１；ＹＥＳ）、動作制御部１１７は、入力された表示要求が外部端末２からの表示要求であるか否かを判定する（ステップＳ１２）。
ここで、外部端末２からの表示要求であると判定されると（ステップＳ１２；ＹＥＳ）、動作制御部１１７は、表示要求としての送信指示に含まれている外部端末２の識別情報を取得し、画像記録部１１５に記録されている記録画像の画像データの中で、送信指示を送信した外部端末２の識別情報と対応付けられている記録画像の画像データを特定する（ステップＳ１３）。そして、動作制御部１１７は、特定された記録画像の画像データを画像記録部１１５から読み出して無線制御部１１６に出力し、無線制御部１１６は、入力された画像データを外部端末２に通信アンテナ１１６ａを介して送信する（ステップＳ１４）。
これにより、外部端末２では、第１無線制御部２０３は、撮像ユニット１１から送信された画像データを受信し、表示部２０４は、表示パネル２０４ａの表示画面に記録画像を表示する。
【００６８】
一方、ステップＳ１２にて、外部端末２からの表示要求でないと判定されると（ステップＳ１２；ＮＯ）、動作制御部１１７は、メモリ１１２から撮像ユニット１１の識別情報を取得し、画像記録部１１５に記録されている記録画像の画像データの中で、撮像ユニット１１の識別情報と対応付けられている記録画像の画像データを特定する（ステップＳ１５）。そして、動作制御部１１７は、特定された記録画像の画像データを画像記録部１１５から読み出して無線制御部１１６に出力し、無線制御部１１６は、入力された画像データを制御ユニット１２に通信アンテナ１１６ａを介して送信する（ステップＳ１６）。
これにより、制御ユニット１２では、無線制御部１２３は、撮像ユニット１１から送信された画像データを受信し、表示部１２４は、表示パネル１２４ａの表示画面に記録画像を表示する。
【００６９】
以上のように、実施形態１の撮像システム１００によれば、複数の外部端末２、２のうちの、情報通信可能に接続されている外部端末２（例えば、第１外部端末２Ａ等）の操作入力部２０７の操作に基づいて入力された撮像指示に従って撮像ユニット１１により撮像された画像と外部端末２の識別情報とを対応付けて記録しておき、記録されている画像を、画像と対応付けられている識別情報の外部端末２に送信可能となるように制御するので、一の撮像装置１を共有する複数の外部端末２、２は、各々から撮像が指示されて撮像装置１により撮像された画像のみが各外部端末２に送信されて表示部２０４に表示されることとなる。具体的には、複数の外部端末２、２のうちの、何れか一の外部端末２（例えば、第１外部端末２Ａ等）からの画像の送信指示に基づいて、何れか一の外部端末２の識別情報と対応付けられて画像記録部１１５に記録されている画像が何れか一の外部端末２に送信されて表示部２０４に表示されることとなる。また、撮像ユニット１１の操作入力部１１８の操作に基づいて入力された撮像指示に従って撮像ユニット１１により撮像された画像と撮像ユニット１１の識別情報とを対応付けて記録し、記録されている画像を制御ユニット１２の表示部１２４に表示させるように制御するので、撮像ユニット１１から撮像が指示されて撮像ユニット１１により撮像された画像のみが制御ユニット１２に送信されて表示部１２４に表示されることとなる。このように、複数の外部端末２、２により共有される一の撮像装置１を用いて撮像された画像の表示先を、各画像毎に限定することができる。
従って、画像記録部１１５に複数の画像が記録されている場合であっても、各外部端末２や撮像装置１にて表示可能な画像が不必要に多くなることがなく、さらに、無関係な画像を表示対象から排除することでプライバシーの保護も図ることができ、画像の管理を適正に行うことができる。
特に、例えば、監視カメラや公共の場に設置されている撮像装置にて撮像された画像の場合、プライバシーの保護を適正に行うことで、使い勝手を向上させることができる。
【００７０】
なお、実施形態１の送信制御処理にあっては、画像記録部１１５に撮像ユニット１１の識別情報と対応付けられて記録されている記録画像の画像データについても、複数の外部端末２、２のうちの、無線制御部１１６により情報通信可能に接続されている外部端末２に送信しても良い。
以下に、送信制御処理の変形例について、図９を参照して説明する。
【００７１】
図９に示すように、動作制御部１１７は、実施形態１の送信制御処理と略同様に、画像記録部１１５に記録されている記録画像の表示要求が入力されたか否かを判定する（ステップＳ１１）。そして、記録画像の表示要求が入力されたと判定されると（ステップＳ１１；ＹＥＳ）、動作制御部１１７は、実施形態１の送信制御処理と略同様に、入力された表示要求が外部端末２からの表示要求であるか否かを判定する（ステップＳ１２）。
【００７２】
ステップＳ１２にて、外部端末２からの表示要求であると判定されると（ステップＳ１２；ＹＥＳ）、動作制御部１１７は、表示要求としての送信指示に含まれている外部端末２の識別情報を取得するとともに、メモリ１１２から撮像ユニット１１の識別情報を取得し、画像記録部１１５に記録されている記録画像の画像データの中で、送信指示を送信した外部端末２の識別情報及び撮像ユニット１１の識別情報の各々と対応付けられている記録画像の画像データをそれぞれ特定する（ステップＳ１１３）。そして、動作制御部１１７は、実施形態１の送信制御処理と略同様に、特定された記録画像の画像データを画像記録部１１５から読み出して無線制御部１１６に出力し、無線制御部１１６は、入力された画像データを外部端末２に通信アンテナ１１６ａを介して送信する（ステップＳ１４）。
【００７３】
一方、ステップＳ１２にて、外部端末２からの表示要求でないと判定されると（ステップＳ１２；ＮＯ）、動作制御部１１７は、実施形態１の送信制御処理と略同様に、メモリ１１２から撮像ユニット１１の識別情報を取得し、画像記録部１１５に記録されている記録画像の画像データの中で、撮像ユニット１１の識別情報と対応付けられている記録画像の画像データを特定する（ステップＳ１５）。そして、動作制御部１１７は、実施形態１の送信制御処理と略同様に、特定された記録画像の画像データを画像記録部１１５から読み出して無線制御部１１６に出力し、無線制御部１１６は、入力された画像データを制御ユニット１２に通信アンテナ１１６ａを介して送信する（ステップＳ１６）。
【００７４】
このように、撮像ユニット１１の操作に基づいて入力された撮像指示に従って撮像ユニット１１により撮像された画像と撮像ユニット１１の識別情報とを対応付けて記録しておき、撮像ユニット１１が画像を表示する装置側表示手段を備えない場合に、複数の外部端末２、２のうちの、情報通信可能に接続される外部端末２に対して記録されている画像を送信可能となるように制御するので、一の撮像装置１を共有する複数の外部端末２、２は、各々から撮像が指示されて撮像装置１により撮像された画像に加えて、撮像ユニット１１からの撮像指示に従って撮像ユニット１１により撮像された画像が各外部端末２に送信されて表示部２０４に表示されることとなる。
これにより、撮像ユニット１１が装置側表示手段を備えない場合、撮像ユニット１１からの撮像指示に従って撮像された画像は全ての外部端末２から閲覧することができ、撮像システム１００の使い勝手を向上させることができる。
【００７５】
なお、撮像ユニット１１からの撮像指示に従って撮像された画像を表示可能な外部端末２は、例えば、予め撮像ユニット１１にアクセス可能な外部端末２として登録されているものであっても良いし、登録の有無を問わず撮像ユニット１１にアクセスした外部端末２の全てを対象としても良い。
【００７６】
＜撮像ユニットの変形例＞
以下に、撮像ユニットの変形例について、図１０〜図１２を参照して説明する。
図１０は、撮像装置１を構成する撮像ユニット１１Ｂの変形例の概略構成を示すブロック図である。
【００７７】
図１０に示すように、撮像ユニット１１Ｂは、中央制御部１１１と、メモリ１１２と、撮像部１１３と、信号処理部１１４と、画像記録部１１５と、無線制御部１１６と、動作制御部１１７と、操作入力部１１８と、接続判定部１１０等を備えている。
また、中央制御部１１１、メモリ１１２、撮像部１１３、信号処理部１１４、画像記録部１１５、無線制御部１１６、動作制御部１１７及び接続判定部１１０は、バスライン１１９を介して接続されている。
【００７８】
なお、以下に説明する以外の点は、実施形態１の撮像ユニット１１と略同様であり、詳細な説明は省略する。
【００７９】
接続判定部（判定手段）１１０は、複数の外部端末２、２のうちの、無線制御部１１６により情報通信可能に接続された外部端末２（例えば、第１外部端末２Ａ等）との通信状態が接続状態であるか否かを判定する。すなわち、接続判定部１１０は、無線制御部１１６により情報通信可能に接続された外部端末２との通信状態を監視して、接続状態であるか非接続状態であるかを特定する。
そして、撮像ユニット１１Ｂによる画像の撮像の際に、接続判定部１１０により通信状態が接続状態でない（非接続状態である）と判定されると、画像記録部１１５は、メモリ１１２から接続状態でないと判定された外部端末２の識別情報及び撮像ユニット１１Ｂの識別情報を取得し、撮像ユニット１１Ｂにより撮像された画像と対応付けて記録する。
【００８０】
＜撮像処理＞
次に、撮像ユニット１１Ｂを用いた撮像処理について、図１１及び図１２を参照して説明する。
図１１は、撮像処理に係る動作の一例を示すフローチャートである。また、図１２は、撮像処理を説明するための図であり、撮像ユニット１１Ｂと外部端末２との接続状態と、記録用の画像と対応付けられる識別情報との関係を模式的に表している。
【００８１】
なお、以下に説明する以外の点は、実施形態１の撮像処理（図６参照）と略同様であり、詳細な説明は省略する。
【００８２】
図１１に示すように、撮像ユニット１１Ｂの撮像部１１３は、実施形態１の撮像処理と略同様に、ライブビュー画像を撮像する（ステップＳ１）。
次に、無線制御部１１６は、実施形態１の撮像処理と略同様に、所定の無線通信回線を介して外部端末２と情報通信可能に接続されているか否かを判定する（ステップＳ２）。
【００８３】
ステップＳ２にて、外部端末２と情報通信可能に接続されていると判定されると（ステップＳ２；ＹＥＳ）、無線制御部１１６は、実施形態１の撮像処理と略同様に、通信設定処理にて外部端末２（例えば、第１外部端末２Ａ等）から送信された識別情報をメモリ１１２に出力し、メモリ１１２は、外部端末２の識別情報を一時的に記録する（ステップＳ３）。
一方、外部端末２と情報通信可能に接続されていないと判定されると（ステップＳ２；ＮＯ）、無線制御部１１６は、ステップＳ３の処理をスキップする。
【００８４】
その後、中央制御部１１１のＣＰＵは、実施形態１の撮像処理と略同様に、記録用の画像の撮像指示が入力されたか否かを判定する（ステップＳ４）。
ここで、記録用の画像の撮像指示が入力されていないと判定されると（ステップＳ４；ＮＯ）、中央制御部１１１のＣＰＵは、処理をステップＳ２に戻し、それ以降の各処理を実行する。
【００８５】
ステップＳ４にて、記録用の画像の撮像指示が入力されたと判定されると（ステップＳ４；ＹＥＳ）、撮像部１１３は、実施形態１の撮像処理と略同様に、記録用の画像を撮像する（ステップＳ５）。
続けて、接続判定部１１０は、ステップＳ２にて、無線制御部１１６により情報通信可能に接続された外部端末２（例えば、第１外部端末２Ａ等）との通信状態が接続状態であるか否かを判定する（ステップＳ１０）。
【００８６】
ステップＳ１０にて、外部端末２との通信状態が接続状態であると判定されると（ステップＳ１０；ＹＥＳ）、中央制御部１１１のＣＰＵは、実施形態１の撮像処理と略同様に、ステップＳ４にて入力された記録用の画像の撮像指示が外部端末２からの撮像指示であるか否かを判定する（ステップＳ６）。
【００８７】
ステップＳ６にて、外部端末２からの撮像指示であると判定されると（ステップＳ６；ＹＥＳ）、中央制御部１１１のＣＰＵは、実施形態１の撮像処理と略同様に、撮像指示に含まれている外部端末２の識別情報を取得してメモリ１１２に出力し、メモリ１１２は、一時的に記録されている外部端末２の識別情報を入力された外部端末２の識別情報で上書きして更新する（ステップＳ７）。続けて、画像記録部１１５は、実施形態１の撮像処理と略同様に、メモリ１１２から画像の撮像を指示した外部端末２の識別情報を取得するとともに記録用の画像の画像データを取得し、画像データと外部端末２の識別情報とを対応付けて記録する（ステップＳ８）。
また、ステップＳ６にて、外部端末２からの撮像指示でないと判定されると（ステップＳ６；ＮＯ）、画像記録部１１５は、実施形態１の撮像処理と略同様に、メモリ１１２から撮像ユニット１１の識別情報を取得するとともに記録用の画像の画像データを取得し、画像データと撮像ユニット１１の識別情報とを対応付けて記録する（ステップＳ９）。
【００８８】
一方、ステップＳ１０にて、外部端末２との通信状態が接続状態でないと判定されると（ステップＳ１０；ＮＯ）、画像記録部１１５は、メモリ１１２から接続状態でないと判定された外部端末２（例えば、第１外部端末２Ａ等）の識別情報及び撮像ユニット１１Ｂの識別情報を取得するとともに記録用の画像の画像データを取得し、画像データと外部端末２及び撮像ユニット１１Ｂの識別情報とを対応付けて記録する（ステップＳ１０９）。
【００８９】
ここで、撮像ユニット１１Ｂと外部端末２との接続状態と、記録用の画像と対応付けられる識別情報との関係を、図１２を参照して説明する。
例えば、撮像ユニット１１Ｂと外部端末２の何れか（例えば、第１外部端末２Ａや第２外部端末２Ｂ等）とが情報通信可能に接続されている状態で、外部端末２から撮像指示が入力されると、画像の撮像を指示した外部端末２の識別情報と記録用の画像の画像データとが対応付けられて画像記録部１１５に記録される。
また、撮像ユニット１１Ｂと外部端末２の何れか（例えば、第１外部端末２Ａや第２外部端末２Ｂ等）とが情報通信可能に接続されていない状態や撮像ユニット１１Ｂと外部端末２の何れかとが情報通信可能に接続されている状態では、撮像ユニット１１Ｂや制御ユニット１２から撮像指示が入力されると、撮像ユニット１１Ｂの識別情報と記録用の画像の画像データとが対応付けられて画像記録部１１５に記録される。
一方、撮像ユニット１１Ｂと情報通信可能に接続された外部端末２（例えば、第１外部端末２Ａ等）との通信状態が接続状態でなくなると（非接続状態となる）、撮像ユニット１１Ｂや制御ユニット１２から撮像指示が入力された場合に、接続状態でないと判定された外部端末２、すなわち、直前に撮像ユニット１１Ｂと情報通信可能に接続されてメモリ１１２に識別情報が一時的に記録されている外部端末２及び撮像ユニット１１Ｂの識別情報と記録用の画像の画像データとが対応付けられて画像記録部１１５に記録される。
【００９０】
このように、情報通信可能に接続された外部端末２（例えば、第１外部端末２Ａ等）との通信状態が接続状態でないと判定された場合に、撮像ユニット１１により撮像された画像と接続状態でないと判定された外部端末２（例えば、第１外部端末２Ａ等）の識別情報及び撮像ユニット１１Ｂの識別情報とを対応付けて記録するので、例えば、撮像ユニット１１Ｂと外部端末２（例えば、第１外部端末２Ａ等）との通信状態が不安定となって通信相手を一時的に見失うような状況にて、撮像ユニット１１Ｂと外部端末２（例えば、第１外部端末２Ａ等）とが未だに接続状態であると仮定して、撮像ユニット１１Ｂが新たに他の外部端末２（例えば、第２外部端末２Ｂ等）と情報通信可能に接続されるまでは、前回接続された外部端末２（例えば、第１外部端末２Ａ等）の識別情報を画像と対応付けて記録することができる。
【００９１】
なお、動作制御部１１７は、画像記録部１１５に記録されている画像を、画像と対応付けられている識別情報の外部端末２に無線制御部１１６により送信可能となるように制御するとともに、画像記録部１１５に記録されている画像を無線制御部１１６により制御ユニット１２に送信させて表示部１２４に表示させるように制御しても良い。
【００９２】
［実施形態２］
図１３は、本発明を適用した実施形態２の撮像システムを構成する撮像装置３の概略構成を示すブロック図である。
図１３に示すように、撮像装置３は、中央制御部３０１と、メモリ３０２と、撮像部３０３と、信号処理部３０４と、画像記録部３０５と、無線制御部３０６と、動作制御部３０７と、表示部３０８と、操作入力部３０９等を備えている。
また、中央制御部３０１、メモリ３０２、撮像部３０３、信号処理部３０４、画像記録部３０５、無線制御部３０６、動作制御部３０７及び表示部３０８は、バスライン３１０を介して接続されている。
【００９３】
なお、以下に説明する以外の点は、実施形態１の撮像装置１と略同様であり、詳細な説明は省略する。
【００９４】
中央制御部３０１は、実施形態１の撮像ユニット１１の中央制御部１１１と略同様の構成及び機能を有し、撮像ユニット１１の各部を制御するものである。
【００９５】
メモリ３０２は、実施形態１の撮像ユニット１１のメモリ１１２と略同様の構成及び機能を有し、中央制御部３０１の他、撮像装置３の各部によって処理されるデータ等を一時的に記録する。
また、メモリ３０２は、撮像装置３や外部端末２の識別情報（例えば、ＢＤアドレスやＭＡＣアドレス等）を一時的に格納する。
【００９６】
撮像部３０３は、実施形態１の撮像ユニット１１の撮像部１１３と略同様の構成及び機能を有し、レンズ部３０３ａと、電子撮像部３０３ｂと、撮像制御部３０３ｃとを備えている。
【００９７】
信号処理部３０４は、実施形態１の撮像ユニット１１の信号処理部１１４と略同様の構成及び機能を有し、電子撮像部３０３ｂから転送されたフレーム画像のアナログ値の信号に対して各種の画像信号処理を施す。
【００９８】
画像記録部３０５は、実施形態１の撮像ユニット１１の画像記録部１１５と略同様の構成及び機能を有し、撮像装置３により撮影された被写体の画像を記録する。
すなわち、画像記録部３０５は、記録用の画像の画像データと対応付けて、画像の撮像を指示した外部端末２や撮像装置３の識別情報（例えば、ＢＤアドレスやＭＡＣアドレス等）を記録する。
【００９９】
無線制御部３０６は、実施形態１の撮像ユニット１１の無線制御部１１６と略同様の構成及び機能を有し、例えば、通信アンテナ３０６ａを介して外部端末２との間でBluetoothの通信規格に基づく無線通信を行うための制御モジュール（図示略）を具備している。
【０１００】
動作制御部３０７は、画像記録部３０５に記録されている画像データの管理に関して、撮像装置３の各部の動作を制御する。
すなわち、動作制御部３０７は、画像記録部３０５に記録されている画像データを、画像データと対応付けられている識別情報の外部端末２に無線制御部３０６により送信可能となるように制御する。
また、動作制御部３０７は、画像記録部１１５に記録されている記録画像を表示部３０８に表示させるように制御する。具体的には、ユーザによる操作入力部３０９の所定操作に基づいて撮像装置３の識別情報と対応付けて画像記録部３０５に記録されている記録画像の表示指示が入力されると、動作制御部３０７は、画像記録部３０５に記録されている記録画像の画像データの中で、撮像装置３の識別情報と対応付けられている記録画像の画像データを特定する。そして、動作制御部３０７は、特定された記録画像の画像データを画像記録部３０５から読み出して表示部３０８に出力し、表示部３０８は、入力された画像データを表示パネル３０８ａの表示画面に表示する。
【０１０１】
なお、動作制御部３０７は、例えば、所定のロジック回路から構成されているが、構成は一例であってこれに限られるものではない。
【０１０２】
表示部３０８は、表示パネル３０８ａの表示画面に画像を表示する。
例えば、表示部３０８は、静止画像や動画像の撮影モードにて、撮像部３０３による被写体の撮像により生成されたライブビュー画像に係る複数のフレーム画像を表示パネル３０８ａに表示する。
なお、表示パネル３０８ａは、例えば、液晶表示パネルや有機ＥＬ表示パネル等から構成されているが、一例であってこれらに限られるものではない。
【０１０３】
操作入力部３０９は、実施形態１の撮像ユニット１１の操作入力部１１８と略同様の構成及び機能を有し、例えば、撮像装置３本体の電源のＯＮ／ＯＦＦに係る電源ボタン、被写体の撮影指示に係るシャッタボタン、撮影モードや機能等の選択指示に係る選択決定ボタン（何れも図示略）等を備えている。
【０１０４】
＜撮像処理＞
実施形態２の撮像システムによる撮像処理は、実施形態１の撮像処理と略同様であり、その詳細な説明は省略するが、撮像ユニット１１の識別情報に代えて撮像装置３の識別情報が用いられ、画像と対応付けて記録される。
【０１０５】
＜送信制御処理＞
次に、実施形態２の撮像システムによる送信制御処理について、図１４を参照して説明する。
図１４は、送信制御処理に係る動作の一例を示すフローチャートである。
【０１０６】
図１４に示すように、動作制御部３０７は、実施形態１の送信制御処理と略同様に、画像記録部３０５に記録されている記録画像の表示要求が入力されたか否かを判定する（ステップＳ１１）。具体的には、動作制御部３０７は、例えば、ユーザによる操作入力部３０８の所定操作に基づいて出力された表示要求が入力されたか否かや、外部端末２と情報通信可能に接続されている状態にて、ユーザによる外部端末２の操作入力部２０７の所定操作に基づいて所定の無線通信回線を介して送信された表示要求が通信アンテナ３０６ａにより受信されて、無線制御部３０６から出力された表示要求が入力されたか否かを判定する。
ここで、記録画像の表示要求が入力されていないと判定されると（ステップＳ１１；ＮＯ）、動作制御部３０７は、記録画像の表示要求が入力されたか否かの判定を所定の時間間隔で繰り返し実行する。
【０１０７】
ステップＳ１１にて、記録画像の表示要求が入力されたと判定されると（ステップＳ１１；ＹＥＳ）、動作制御部３０７は、実施形態１の送信制御処理と略同様に、入力された表示要求が外部端末２からの表示要求であるか否かを判定する（ステップＳ１２）。
ここで、外部端末２からの表示要求であると判定されると（ステップＳ１２；ＹＥＳ）、動作制御部３０７は、実施形態１の送信制御処理と略同様に、表示要求としての送信指示に含まれている外部端末２の識別情報を取得し、画像記録部３０５に記録されている記録画像の画像データの中で、送信指示を送信した外部端末２の識別情報と対応付けられている記録画像の画像データを特定する（ステップＳ１３）。そして、動作制御部３０７は、実施形態１の送信制御処理と略同様に、特定された記録画像の画像データを画像記録部３０５から読み出して無線制御部３０６に出力し、無線制御部３０６は、入力された画像データを外部端末２に通信アンテナ３０６ａを介して送信する（ステップＳ１４）。
【０１０８】
一方、ステップＳ１２にて、外部端末２からの表示要求でないと判定されると（ステップＳ１２；ＮＯ）、動作制御部３０７は、実施形態１の送信制御処理と略同様に、メモリ３０２から撮像装置３の識別情報を取得し、画像記録部３０５に記録されている記録画像の画像データの中で、撮像装置３の識別情報と対応付けられている記録画像の画像データを特定する（ステップＳ１５）。そして、動作制御部３０７は、特定された記録画像の画像データを画像記録部３０５から読み出して表示部３０８に出力し、表示部３０８は、入力された画像データを表示パネル３０８ａの表示画面に表示する（ステップＳ１７）。
【０１０９】
以上のように、実施形態２の撮像システムによれば、撮像装置３が表示部３０８を備える場合には、撮像装置３の操作入力部３０９の操作に基づいて入力された撮像指示に従って撮像装置３により撮像された画像と撮像装置３の識別情報とを対応付けて記録し、記録されている画像を表示部３０８に表示させるように制御するので、撮像装置３から撮像が指示されて撮像装置３により撮像された画像のみが表示部３０８に表示されることとなる。
従って、実施形態１と略同様に、画像記録部３０５に複数の画像が記録されている場合であっても、各外部端末２や撮像装置３にて表示可能な画像が不必要に多くなることがなく、さらに、無関係な画像を表示対象から排除することでプライバシーの保護も図ることができ、画像の管理を適正に行うことができる。
【０１１０】
なお、本発明は、実施形態１、２に限定されることなく、本発明の趣旨を逸脱しない範囲において、種々の改良並びに設計の変更を行っても良い。
例えば、実施形態１、２にあっては、撮像ユニット１１（１１Ｂ）、制御ユニット１２、外部端末２、撮像装置３と通信相手との間の無線通信を全てBluetoothによる無線通信で行うようにしたが、一例であってこれに限られるものではなく、例えば、撮像ユニット１１と制御ユニット１２との間はBluetoothによる無線通信を行い、撮像ユニット１１と外部端末２との間や撮像装置３と外部端末２との間は無線ＬＡＮによる無線通信を行っても良い。
【０１１１】
また、実施形態１、２にあっては、例えば、撮像装置１、３や外部端末２のユーザを識別する識別手段（例えば、顔認識手段等；図示略）を備え、撮像を指示したユーザの識別情報を画像と対応付けて記録しておき、画像の表示要求（送信指示）に含まれるユーザの識別情報を利用して、表示先を限定するようにしても良い。これにより、プライバシーの保護をより適正に行うことができる。
【０１１２】
さらに、撮像システム１００や撮像装置１、３や外部端末２の構成は、一例であってこれに限られるものではなく、適宜任意に変更可能である。例えば、外部端末２は、移動局やＰＤＡの他に、例えば、ユーザの手首に装着された状態で使用される腕時計型のスマートウォッチ等のリスト端末から構成されていても良い。
【０１１３】
加えて、実施形態１、２にあっては、通信手段、記録手段、制御手段としての機能を、撮像ユニット１１の中央制御部１１１や撮像装置３の中央制御部３０１のＣＰＵによって所定のプログラム等が実行されることにより実現する構成としても良い。
すなわち、プログラムを記録するプログラムメモリ（図示略）に、通信処理ルーチン、記録処理ルーチン、制御処理ルーチンを含むプログラムを記録しておく。そして、通信処理ルーチンにより中央制御部１１１（３０１）のＣＰＵを、撮像ユニット１１（撮像装置３）により撮像される画像の撮像指示を入力するための操作入力部２０７を有する複数の外部端末２、２と所定の無線通信回線を介して情報通信可能に接続する手段として機能させるようにしても良い。また、記録処理ルーチンにより中央制御部１１１のＣＰＵを、複数の外部端末２、２のうちの、情報通信可能に接続されている外部端末２の操作入力部２０７の操作に基づいて入力された撮像指示に従って撮像ユニット１１により撮像された画像と外部端末２の識別情報とを対応付けて記録する手段として機能させるようにしても良い。また、制御処理ルーチンにより中央制御部１１１のＣＰＵを、記録されている画像を、画像と対応付けられている識別情報の外部端末２に送信可能となるように制御する手段として機能させるようにしても良い。
【０１１４】
同様に、判定手段についても、中央制御部１１１（３０１）のＣＰＵによって所定のプログラム等が実行されることにより実現される構成としても良い。
【０１１５】
さらに、各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【０１１６】
本発明のいくつかの実施形態を説明したが、本発明の範囲は、上述の実施の形態に限定するものではなく、特許請求の範囲に記載された発明の範囲とその均等の範囲とを含む。
以下に、本出願の願書に最初に添付した特許請求の範囲に記載した発明を付記する。付記に記載した請求項の項番は、本出願の願書に最初に添付した特許請求の範囲の通りである。
〔付記〕
＜付記１＞
画像を撮像する撮像ユニットと、
前記撮像ユニットと着脱自在に構成された制御ユニットと、
前記撮像ユニットにより撮像される画像の撮像指示を入力するための端末側操作手段を有する複数の外部端末と所定の無線通信回線を介して情報通信可能に接続する通信手段と、
前記複数の外部端末のうちの、前記通信手段により情報通信可能に接続されている前記外部端末の前記端末側操作手段の操作に基づいて入力された撮像指示に従って前記撮像ユニットにより撮像された画像と前記外部端末の識別情報とを対応付けて記録する記録手段と、
前記記録手段に記録されている画像を、画像と対応付けられている識別情報の前記外部端末に前記通信手段により送信可能となるように制御する制御手段と、
を備える、
ことを特徴とする撮像装置。
＜付記２＞
前記撮像ユニットは、画像の撮像指示を入力するための装置側操作手段を有し、
前記記録手段は、前記装置側操作手段の操作に基づいて入力された撮像指示に従って前記撮像ユニットにより撮像された画像と前記撮像装置の識別情報とを対応付けて記録し、
前記制御手段は、前記撮像装置が画像を表示する装置側表示手段を備えない場合に、前記複数の外部端末のうちの、前記通信手段により情報通信可能に接続される前記外部端末に前記記録手段に記録されている画像を送信可能となるように制御することを特徴とする付記１に記載の撮像装置。
＜付記３＞
前記撮像ユニットにより撮像された画像を表示する装置側表示手段を更に備え、
前記撮像ユニットは、画像の撮像指示を入力するための装置側操作手段を有し、
前記記録手段は、前記装置側操作手段の操作に基づいて入力された撮像指示に従って前記撮像ユニットにより撮像された画像と前記撮像装置の識別情報とを対応付けて記録し、
前記制御手段は、前記記録手段に記録されている画像を前記装置側表示手段に表示させるように制御することを特徴とする付記１に記載の撮像装置。
＜付記４＞
前記制御ユニットは、前記装置側表示手段を有するとともに、前記撮像ユニットと前記所定の無線通信回線を介して情報通信可能に接続され、
前記撮像ユニットは、前記装置側操作手段、前記記録手段及び前記制御手段を有し、
前記制御手段は、前記記録手段に記録されている画像を前記所定の無線通信回線を介して前記制御ユニットに送信して前記装置側表示手段に表示させるように制御することを特徴とする付記３に記載の撮像装置。
＜付記５＞
前記制御手段は、前記複数の外部端末のうちの、何れか一の前記外部端末からの画像の送信指示に基づいて、前記何れか一の外部端末の識別情報と対応付けられて前記記録手段に記録されている画像を前記何れか一の外部端末に前記通信手段により送信可能となるように制御することを特徴とする付記１〜４の何れか一つに記載の撮像装置。
＜付記６＞
前記複数の外部端末のうちの、前記通信手段により情報通信可能に接続された前記外部端末との通信状態が接続状態であるか否かを判定する判定手段を更に備え、
前記記録手段は、前記判定手段により通信状態が接続状態でないと判定された場合に、前記撮像ユニットにより撮像された画像と接続状態でないと判定された前記外部端末の識別情報及び前記撮像装置の識別情報とを対応付けて記録することを特徴とする付記１〜５の何れか一つに記載の撮像装置。
＜付記７＞
前記制御手段は、前記記録手段に記録されている画像を、画像と対応付けられている識別情報の前記外部端末に前記通信手段により送信可能となるように制御するとともに、前記撮像装置が画像を表示する装置側表示手段を備える場合に、前記記録手段に記録されている画像を前記装置側表示手段に表示させるように制御することを特徴とする付記６に記載の撮像装置。
＜付記８＞
撮像装置と複数の外部端末とを備える撮像システムであって、
前記複数の外部端末は、
前記撮像装置により撮像される画像の撮像指示を入力するための端末側操作手段をそれぞれ有し、
前記撮像装置は、
画像を撮像する撮像ユニットと、
前記撮像ユニットと着脱自在に構成された制御ユニットと、
前記複数の外部端末と所定の無線通信回線を介して情報通信可能に接続する通信手段と、
前記複数の外部端末のうちの、前記通信手段により情報通信可能に接続されている前記外部端末の前記端末側操作手段の操作に基づいて入力された撮像指示に従って前記撮像ユニットにより撮像された画像と前記外部端末の識別情報とを対応付けて記録する記録手段と、
前記記録手段に記録されている画像を、画像と対応付けられている識別情報の外部端末に前記通信手段により送信可能となるように制御する制御手段と、
を有する、
ことを特徴とする撮像システム。
＜付記９＞
前記複数の外部端末は、前記撮像装置により撮像された画像を表示する端末側表示手段をそれぞれ有し、
前記端末側表示手段は、前記制御手段により制御されて前記通信手段により送信された画像を表示することを特徴とする付記８に記載の撮像システム。
＜付記１０＞
画像を撮像する撮像ユニットと、前記撮像ユニットと着脱自在に構成された制御ユニットと、を有する撮像装置を用いた撮像方法であって、
前記撮像ユニットにより撮像される画像の撮像指示を入力するための端末側操作手段を有する複数の外部端末と所定の無線通信回線を介して情報通信可能に接続する処理と、
前記複数の外部端末のうちの、情報通信可能に接続されている前記外部端末の前記端末側操作手段の操作に基づいて入力された撮像指示に従って前記撮像ユニットにより撮像された画像と前記外部端末の識別情報とを対応付けて記録する処理と、
記録されている画像を、画像と対応付けられている識別情報の前記外部端末に送信可能となるように制御する処理と、
を含む、
ことを特徴とする撮像方法。
＜付記１１＞
画像を撮像する撮像ユニットと、前記撮像ユニットと着脱自在に構成された制御ユニットと、を有する撮像装置のコンピュータを、
前記撮像ユニットにより撮像される画像の撮像指示を入力するための端末側操作手段を有する複数の外部端末と所定の無線通信回線を介して情報通信可能に接続する通信手段、
前記複数の外部端末のうちの、前記通信手段により情報通信可能に接続されている前記外部端末の前記端末側操作手段の操作に基づいて入力された撮像指示に従って前記撮像ユニットにより撮像された画像と前記外部端末の識別情報とを対応付けて記録する記録手段、
前記記録手段に記録されている画像を、画像と対応付けられている識別情報の外部端末に前記通信手段により送信可能となるように制御する制御手段、
として機能させる、
ことを特徴とするプログラム。
【符号の説明】
【０１１７】
１００    撮像システム
１、３    撮像装置
１１      撮像ユニット
１１１、３０１  中央制御部
１１３、３０３  撮像部
１１５、３０５  画像記録部
１１６、３０６  無線制御部
１１７、３０７  動作制御部
１１８、３０９  操作入力部
１１０    接続判定部
３０８    表示部
１２      制御ユニット
１２３    無線制御部
１２４    表示部
２        外部端末
２Ａ      第１外部端末
２Ｂ      第２外部端末
２０３    第１無線制御部
２０４    表示部
２０７    操作入力部
【図１】
0006672779.tif 000002
【図２】
0006672779.tif 000003
【図３】
0006672779.tif 000004
【図４】
0006672779.tif 000005
【図５】
0006672779.tif 000006
【図６】
0006672779.tif 000007
【図７】
0006672779.tif 000008
【図８】
0006672779.tif 000009
【図９】
0006672779.tif 000010
【図１０】
0006672779.tif 000011
【図１１】
0006672779.tif 000012
【図１２】
0006672779.tif 000013
【図１３】
0006672779.tif 000014
【図１４】
0006672779.tif 000015